(57)【要約】【課題】  本発明は磁気ヘッドの再生信号が漏れ磁束の影響を受けないように構成することを課題とする。【解決手段】  再生用磁気ヘッド装置３２は、磁気ヘッド３２ａと、ヘッドベース３２ｂと、アンプ回路が形成されたベアチップ６０とを有する。さらに、磁気ヘッド３２ａから出力された再生信号は、ベアチップ６０のアンプ回路で増幅された後、回転ドラム１４の下側から上側に貫通する配線部材６２を介して上部ロータリトランス４４に送信される。ヘッドベース３２ｂは、固定用ビス６４により回転ドラム１４の下面に締結されており、磁気ヘッド３２ａのヘッド面が回転ドラム１４の外周に僅かに突出する位置に固定される。これにより、磁気ヘッド３２ａは、先端に形成されたヘッド面が磁気テープ１６に摺接し、磁気テープ１６に磁気記録された信号を読み取って再生信号を出力することが可能になる。【選択図】  図３
2007115292.tif 000002
【特許請求の範囲】
【請求項１】
磁気ヘッドがヘッドベースの先端に固定された磁気ヘッド装置において、
前記磁気ヘッドの再生信号を増幅するアンプ用ベアチップを前記ヘッドベースに設けたことを特徴とする磁気ヘッド装置。
【請求項２】
前記アンプ用ベアチップを樹脂材により形成された保護膜で覆うことを特徴とする請求項１に記載の磁気ヘッド装置。
【請求項３】
前記ヘッドベースに凹部を形成し、該凹部に前記アンプ用ベアチップを収納したことを特徴とする請求項１に記載の磁気ヘッド装置。
【請求項４】
記録用磁気ヘッドが記録用ヘッドベースに固定された記録用磁気ヘッド装置と再生用磁気ヘッドが再生用ヘッドベースに固定された再生用磁気ヘッド装置とが設けられた回転ドラムと、該回転ドラムの下側に配置された固定ドラムと、前記回転ドラムを回転駆動するモータと、を有する回転ドラム装置において、
前記再生磁気ヘッドの再生信号を増幅するアンプ用ベアチップを前記再生用ヘッドベースに設けたことを特徴とする回転ドラム装置。
【請求項５】
前記アンプ用ベアチップを樹脂材により形成された保護膜で覆うことを特徴とする請求項４に記載の回転ドラム装置。
【請求項６】
前記再生用ヘッドベースに凹部を形成し、該凹部に前記アンプ用ベアチップを収納したことを特徴とする請求項１に記載の回転ドラム装置。
【発明の詳細な説明】
【技術分野】
【０００１】
本発明は磁気ヘッドから出力された再生信号が外部からの漏れ磁束による影響を受けないように構成された磁気ヘッド装置及び回転ドラム装置に関する。
【背景技術】
【０００２】
例えば、磁気ヘッドを有する回転ドラムの外周に磁気テープを巻き付けて走行させるともに磁気記録または再生を行なう回転ドラム装置では、磁気ヘッドの再生信号を増幅するアンプ回路が回転ドラムの上部等に設けられているので、磁気ヘッドから引き出されたリード線が長くなり、他の磁気ヘッドが磁気記録する際の漏れ磁束や外部からの漏れ磁束によって生じるノイズが再生信号に重畳されることがある。さらに、磁気ヘッドからアンプ回路に出力された増幅前の再生信号は、信号が微弱なため、ノイズの影響を受けやすい。このような漏れ磁束によるノイズを除去する方法として、磁気ヘッドを磁気シールド部材により覆うように構成した磁気ヘッド装置が提案されている（例えば、特許文献１参照）。
【特許文献１】特開２００３−２０３３１７号公報
【発明の開示】
【発明が解決しようとする課題】
【０００３】
しかしながら、上記従来の磁気ヘッド装置では、磁気シールド部材を収納するためのスペースを確保する必要があり、回転ドラム装置の小型化に対応することが難しいという問題があった。
【０００４】
そこで、本発明は上記事情に鑑み、課題を解決した磁気ヘッド装置及び回転ドラム装置を提供することを目的とする。
【課題を解決するための手段】
【０００５】
上記課題を解決するため、本発明は以下のような手段を有する。
【０００６】
請求項１記載の発明は、磁気ヘッドがヘッドベースの先端に固定された磁気ヘッド装置において、前記磁気ヘッドの再生信号を増幅するアンプ用ベアチップを前記ヘッドベースに設けたことを特徴とする。
【０００７】
請求項２記載の発明は、請求項１記載の磁気ヘッド装置であって、前記アンプ用ベアチップを樹脂材により形成された保護膜で覆うことを特徴とする。
【０００８】
請求項３記載の発明は、請求項１記載の磁気ヘッド装置であって、前記ヘッドベースに凹部を形成し、該凹部に前記アンプ用ベアチップを収納したことを特徴とする。
【０００９】
請求項４記載の発明は、記録用磁気ヘッドが記録用ヘッドベースに固定された記録用磁気ヘッド装置と再生用磁気ヘッドが再生用ヘッドベースに固定された再生用磁気ヘッド装置とが設けられた回転ドラムと、該回転ドラムの下側に配置された固定ドラムと、前記回転ドラムを回転駆動するモータと、を有する回転ドラム装置において、前記再生磁気ヘッドの再生信号を増幅するアンプ用ベアチップを前記再生用ヘッドベースに設けたことを特徴とする。
【００１０】
請求項５記載の発明は、請求項４記載の回転ドラム装置であって、前記アンプ用ベアチップを樹脂材により形成された保護膜で覆うことを特徴とする。
【００１１】
請求項６記載の発明は、請求項４記載の回転ドラム装置であって、前記再生用ヘッドベースに凹部を形成し、該凹部に前記アンプ用ベアチップを収納したことを特徴とする。
【発明の効果】
【００１２】
本発明によれば、磁気ヘッドの再生信号を増幅するアンプ用ベアチップをヘッドベースに設けたため、クロストークによるノイズが再生信号に重畳される前に再生信号を増幅することができ、再生信号のノイズによる影響を相対的に減少させることが可能になる。従って、磁気ヘッドを磁気シールド部材で覆うよりも省スペース化を図ることが可能になり、回転ドラム装置の小型化にも対応することができる。
【００１３】
また、アンプ用ベアチップを樹脂材により形成された保護膜で覆うことにより、アンプ用ベアチップが破損することを防止できる。
【００１４】
また、再生用ヘッドベースに形成した凹部にアンプ用ベアチップを収納したため、アンプ用ベアチップが再生用ヘッドベースから突出しないように取り付けることが可能になり、アンプ用ベアチップが破損することを防止できる。
【発明を実施するための最良の形態】
【００１５】
以下、図面を参照して本発明を実施するための最良の形態について説明する。
【実施例１】
【００１６】
図１は本発明による回転ドラム装置の一実施例を示す斜視図である。図２は回転ドラムを上方からみた平面図である。図１及び図２に示されるように、回転ドラム装置１０は、円筒形状の固定ドラム１２と回転ドラム１４とを同軸上に重ね合わせた構成であり、その外周に磁気テープ１６が螺旋状に巻き付けられる。磁気テープ１６は、テープ走行位置をガイドするガイドポール１８，２０のローディング動作により固定ドラム１２及び回転ドラム１４の外周に対して所定角度の範囲で摺接する。そして、磁気テープ１６はＡ方向に巻き取られて一定速度で走行すると共に、回転ドラム１４がＢ方向に回転してヘリカルスキャン方式で磁気記録される。
【００１７】
固定ドラム１２は、シャーシ（図示せず）に固定されており、回転ドラム１４は、固定ドラム１２の上方に回転可能に支持されている。そして、回転ドラム装置１０は、固定ドラム１２の下部に設けられたモータ２２の回転がシャフト２４を介して回転ドラム１４に伝達されるように構成されている。
【００１８】
本実施例の回転ドラム１４は、４個の磁気ヘッド３１〜３４が円周方向上９０度間隔で取り付けられている。４個の磁気ヘッド３１〜３４は、記録用磁気ヘッド装置３１，３３と再生用磁気ヘッド装置３２，３４とが交互に配置されており、記録用磁気ヘッド装置３０，３１で磁気記録したトラック上を再生用磁気ヘッド装置３２，３３がトレースして磁気記録されたデータが正常に読み出されるか否かをチェックする。
【００１９】
図３は回転ドラム装置１０の内部構造を示す縦断面図である。図３に示されるように、回転ドラム１４は、シャフト２４と一体的に回転するように支持されており、シャフト２４は固定ドラム１２に保持された軸受４０により回転可能に軸承されている。また、固定ドラム１２と回転ドラム１４と間には、下部ロータリトランス４２が設けられている。この下部ロータリトランス４２は、環状に形成されており、固定ドラム１２の凹部１２ａに取り付けられた固定側ロータリトランス４２ａと回転ドラム１４の下面に取り付けられた回転側ロータリトランス４２ｂとが対向するように配置されている。本実施例では、下部ロータリトランス４２は、記録用磁気ヘッド装置３０，３１に供給される記録信号を伝達するように設けられている。
【００２０】
また、回転ドラム１４の上部には、上部ロータリトランス４４が設けられている。この上部ロータリトランス４４は、環状に形成されており、フレキシブルケーブル５０に結合された固定側ロータリトランス４４ａと回転ドラム１４の上面に取り付けられた回転側ロータリトランス４４ｂとが対向するように配置されている。本実施例では、上部ロータリトランス４４は、再生用磁気ヘッド装置３２，３４から出力された再生信号を伝達するように設けられている。
【００２１】
再生用磁気ヘッド装置３２，３４は、同様な構成であり、図３では一方の再生用磁気ヘッド装置３２のみが図示されているので、以下では再生用磁気ヘッド装置３２について説明する。
【００２２】
再生用磁気ヘッド装置３２は、磁気ヘッド３２ａと、ヘッドベース３２ｂと、アンプ回路が形成されたベアチップ６０とを有する。さらに、磁気ヘッド３２ａから出力された再生信号は、ベアチップ６０のアンプ回路で増幅された後、回転ドラム１４の下側から上側に貫通する配線部材６２を介して上部ロータリトランス４４に送信される。ヘッドベース３２ｂは、固定用ビス６４により回転ドラム１４の下面に締結されており、磁気ヘッド３２ａのヘッド面（ギャップを有する）が回転ドラム１４の外周に僅かに突出する位置に固定される。これにより、磁気ヘッド３２ａは、先端に形成されたヘッド面が磁気テープ１６に摺接し、磁気テープ１６に磁気記録された信号を読み取って再生信号を出力することが可能になる。
【００２３】
図４は再生用磁気ヘッド装置３２を拡大して示す側面図である。図４に示されるように、再生用磁気ヘッド装置３２は、ヘッドベース３２ｂの上面先端部に磁気ヘッド３２ａが固着されており、ヘッドベース３２ｂの下面先端部にベアチップ６０が設けられている。また、ヘッドベース３２ｂの下面には、フレキシブルケーブル（ＦＰＣ）７０が接着されており、ベアチップ６０はフレキシブルケーブル７０の電極パッド（図示せず）にはんだ接続される。
【００２４】
さらに、ベアチップ６０は、その表面が絶縁性を有するエポキシ樹脂などの樹脂材からなる保護膜７２により覆われている。この保護膜７２は、接着性と弾性とを有する樹脂材であるため、ベアチップ６０をフレキシブルケーブル７０に密着させた状態に保持すると共に、振動を吸収してベアチップ６０が破損しないように保護するものである。また、保護膜７２は、ベアチップ６０の全体を覆うように接着されるため、湿気やほこりがベアチップ６０の電極部分に付着することも防止する。
【００２５】
磁気ヘッド３２ａのコイルから引き出された信号線７４は、下方に配置されたベアチップ６０に接続される。ベアチップ６０は、磁気ヘッド３２ａからヘッドベース３２ｂの厚さ分反対側に離間しているので、信号線７４の全長が極めて短くなっている。これにより、信号線７４を介して送信される再生信号に記録用磁気ヘッド装置３０，３１からの漏れ磁束によるノイズが重畳しにくい構成となっている。
【００２６】
また、ベアチップ６０のアンプ回路で増幅された再生信号は、配線部材６２を介して上部ロータリトランス４４に送信される際に、記録用磁気ヘッド装置３０，３１からの漏れ磁束によるノイズ（クロストーク）が重畳することが考えられる。しかしながら、配線部材６２を流れる再生信号は、増幅されているため、漏れ磁束による影響が相対的に減少しており、出力レベルに対するノイズが軽微で済む。従って、再生用磁気ヘッド装置３２は、ベアチップ６０をヘッドベース３２ｂに設けることにより、漏れ磁束によるノイズが再生信号に重畳することを防止できるので、従来のように磁気シールド部材で磁気ヘッド装置を覆う構成のもよりも小型化及び省スペース化を図ることができる。
【実施例２】
【００２７】
図５は磁気ヘッド装置の実施例２を示す側面図である。尚、図５において、上記実施例１と同一部分には、同一符号を付してその説明を省略する。図５に示されるように、実施例２の再生用磁気ヘッド装置３２は、ヘッドベース３２ｂがセラミックスにより形成されており、ヘッドベース３２ｂの下面に回路パターン８０が形成されている。そのため、ベアチップ６０は、回路パターン８０の電極パッド（図示せず）に直接はんだ接続された後、絶縁性を有する保護膜７２により覆われる。
【００２８】
このように、実施例２では、ヘッドベース３２ｂの下面に回路パターン８０が形成されているため、フレキシブルケーブル７０を接着する必要がなくなり、その分組立作業が容易に行なえる。
【実施例３】
【００２９】
図６は磁気ヘッド装置の実施例３を示す側面図である。尚、図６において、上記実施例１、２と同一部分には、同一符号を付してその説明を省略する。図６に示されるように、実施例３の再生用磁気ヘッド装置３２は、ヘッドベース３２ｂの上面に凹部８２が設けられている。この凹部８２は、磁気ヘッド３２ａの近傍に設けられており、フレキシブルケーブル７０にはんだ付けされたベアチップ６０を収納する収納部として機能する。
【００３０】
また、磁気ヘッド３２ａとベアチップ６０を共にヘッドベース３２ｂの上面に設けることができるので、信号線７４をフレキシブルケーブル７０の上面側に接続するようにして信号線７４を短くできる。不要にしてフレキシブルケーブル７０の回路パターン（図示せず）を介して磁気ヘッド３２ａとベアチップ６０とを接続することができる。
【００３１】
この構成では、ベアチップ６０を磁気ヘッド３２ａにできるだけ接近させて接続できると共に、ベアチップ６０がヘッドベース３２ｂから突出しないため、保護膜７２を設けなくてもベアチップ６０を保護することができる。さらに、再生用磁気ヘッド装置３２の薄型化を図ることができる。
【実施例４】
【００３２】
図７は磁気ヘッド装置の実施例４を示す側面図である。尚、図７において、上記実施例１〜３と同一部分には、同一符号を付してその説明を省略する。図７に示されるように、実施例４の再生用磁気ヘッド装置３２は、樹脂製のヘッドベース３２ｂの上面にベアチップ６０を収納する凹部８２と、フレキシブルケーブル７０を収納する凹部８４と、信号線７４を挿通する溝８６とが設けられている。この凹部８２は、磁気ヘッド３２ａの近傍に設けられており、凹部８４及び溝８６は凹部８２に連通している。凹部８４は、フレキシブルケーブル７０の厚さよりも深く形成され、フレキシブルケーブル７０の輪郭形状に対応しているため、フレキシブルケーブル７０を収納することができる。
【００３３】
さらに、溝８６は、磁気ヘッド３２ａの下面側に対向するように形成されており、磁気ヘッド３２ａから引き出された信号線７４をベアチップ６０に接続するように挿通することができる。
【００３４】
このように、実施例４では、ヘッドベース３２ｂの上面にベアチップ６０、レキシブルケーブル７０、信号線７４を埋設することができるので、信号線７４をできるだけ短くして再生信号に記録用磁気ヘッド装置３０，３１からの漏れ磁束によるノイズが重畳しにくい構成となっている。さらに、ヘッドベース３２ｂの上面からベアチップ６０、レキシブルケーブル７０、信号線７４が突出しない構成にできるので、再生用磁気ヘッド装置３２の薄型化を図ることができる。
【図面の簡単な説明】
【００３５】
【図１】本発明による回転ドラム装置の一実施例を示す斜視図である。
【図２】回転ドラムを上方からみた平面図である。
【図３】回転ドラム装置１０の内部構造を示す縦断面図である。
【図４】再生用磁気ヘッド装置３２を拡大して示す側面図である。
【図５】磁気ヘッド装置の実施例２を示す側面図である。
【図６】磁気ヘッド装置の実施例３を示す側面図である。
【図７】磁気ヘッド装置の実施例４を示す側面図である。
【符号の説明】
【００３６】
１０  回転ドラム装置
１２  固定ドラム
１４  回転ドラム
１６  磁気テープ
３１，３３  記録用磁気ヘッド装置
３２，３４  再生用磁気ヘッド装置
３２ａ  磁気ヘッド
３２ｂ  ヘッドベース
６０  ベアチップ
７０  フレキシブルケーブル
７２  保護膜
７４  信号線
８０  回路パターン
８２，８４  凹部
８６  溝
【図１】
2007115292.tif 000003
【図２】
2007115292.tif 000004
【図３】
2007115292.tif 000005
【図４】
2007115292.tif 000006
【図５】
2007115292.tif 000007
【図６】
2007115292.tif 000008
【図７】
2007115292.tif 000009